(57)【要約】【課題】中敷きの先端部に設けた趾股隔壁の取りつけ位置を自分に合った位置に簡単に前後左右に調整でき、洗う場合や不要な場合は取り外すことが出来る中敷きを提供する。【解決手段】中敷きにあって、裏側がループ状又は、起毛・縮絨加工や植毛を施した表面を有する布又は不織布で覆われ、表側の第１趾と第２趾との間の趾股部に対応する位置に、取りつけ位置調整代を有するスリットを設け、該スリットを形成した中敷き先端部に、極薄のフック状の面ファスナーを表面に有する固定用部材と一体的に形成した趾股隔壁を前記スリットから先端部分面上へ突出させた状態で前記固定用部材と中敷き裏面とを着脱自在に固定することを特徴とする中敷き。【選択図】      図１
2004305405.tif 000002
【特許請求の範囲】
【請求項１】
趾股隔壁を有する中敷きにおいて、足の第１趾と第２趾との間の趾股部に対応する位置に、取りつけ位置調整代を有するスリットを設け、ほぼ長方形の固定用部材と一体的に形成した該趾股隔壁を、中敷き面上方へ該スリットから突出させ、且つ固定用部材が粘弾性を有し滑り難い素材であり、中敷き裏面の少なくとも爪先から踏付け部分が、ループ状又は、起毛・縮絨加工や植毛を施した表面を有する布又は不織布で覆われおり、前記固定用部材と中敷き裏面とを着脱自在に固定することを特徴とする中敷き。
【請求項２】
趾股隔壁を有する中敷きにおいて、足の第１趾と第２趾との間の趾股部に対応する位置に、取りつけ位置調整代を有するスリットを設け、ほぼ長方形の固定用部材と一体的に形成した該趾股隔壁を、中敷き面上方へ該スリットから突出させ、且つ前記固定用部材表面に極薄のフック状の面ファスナーを有し、中敷き裏面の少なくとも爪先から踏付け部分が、ループ状又は、起毛・縮絨加工や植毛を施した表面を有する布又は不織布で覆われおり、前記固定用部材と中敷き裏面とを着脱自在に固定することを特徴とする中敷き。
【発明の詳細な説明】
【０００１】
【発明の属する技術分野】
本発明は靴の中敷きに関するもので、中敷きの先端部に設けた趾股隔壁の取り付け位置を自分に合った位置に簡単に前後左右に調整でき、着脱可能であり、洗う場合や不要な場合は取り外すことが出来るものである。
【０００２】
【従来の技術】
従来、趾股隔壁を有する靴や中敷きにおいて、趾股隔壁の取り付け位置調整に関する種々の方法が開示されている。
【０００３】
中敷きに一体的に趾股隔壁を構成し、甲被、趾股隔壁、中底、本底および本底下部の補強板にそれぞれ挿通用の孔を設け、特に趾股隔壁には位置調整のため
複数の孔を設け、それぞれの孔を靴紐にて挿通し、足長方向に位置調整が可能な構成とした方法（例えば、特許文献１参照。）。
【０００４】
靴中底の第１趾と第２趾との間に相当する位置に穴をあけ、趾股隔壁を金属の薄板で挟み、該薄板に多数の孔をあけ、且つ、その孔を長孔にし前後左右の位置調整が可能とした方法（例えば、特許文献２参照。）。
【０００５】
（特許文献１）  特開２００１−３４６６０７号公報（要約）
（特許文献２）  実開平７−３３１０３号公報（課題を解決するための手段）
【０００６】
【発明が解決しようとする課題】
上記のような取り付け位置を調整する従来の技術は、加工を要する構成部品が多く価格が高くなる上に構造が複雑であり、使用時の位置調整が難しい。
又、複雑な構造と、硬い素材が使用されているものもあり、履き心地が悪いといった問題がある。
【０００７】
【課題を解決するための手段】
本発明は、請求項１に示す、趾股隔壁を有する中敷きにおいて、足の第１趾と第２趾との間の趾股部に対応する位置に、取りつけ位置調整代を有するスリットを設け、ほぼ長方形の固定用部材と一体的に形成した該趾股隔壁を、中敷き面上方へ該スリットから突出させ、且つ固定用部材が粘弾性を有し滑り難い素材であり、中敷き裏面の少なくとも爪先から踏付け部分が、ループ状又は、起毛・縮絨加工や植毛を施した表面を有する布又は不織布で覆われおり、前記固定用部材と中敷き裏面とを着脱自在に固定することを特徴とする中敷きであり、
【０００８】
請求項２に示す、趾股隔壁を有する中敷きにおいて、足の第１趾と第２趾との間の趾股部に対応する位置に、取りつけ位置調整代を有するスリットを設け、ほぼ長方形の固定用部材と一体的に形成した該趾股隔壁を、中敷き面上方へ該スリットから突出させ、且つ前記固定用部材表面に極薄のフック状の面ファスナーを有し、中敷き裏面の少なくとも爪先から踏付け部分が、ループ状又は、起毛・縮絨加工や植毛を施した表面を有する布又は不織布で覆われおり、前記固定用部材と中敷き裏面とを着脱自在に固定することを特徴とする中敷きである。
【０００９】
本発明は、構成部品が僅かな数でしかもシンプルであり、誰もが簡単に適切に趾股隔壁の位置調整が出来る手段を提供するものである。
【００１０】
中敷きにおいて、第１趾と第２趾の間の趾股部に対応する位置に、趾股隔壁を挿入するスリットを設ける。
中敷きに設けるスリット寸法は靴サイズにより異なるが、調整代として、挿入する趾股隔壁の長さ及び幅に対し、長さは前後に１０ｍｍ〜２０ｍｍ長く、幅は左右に２ｍｍ〜５ｍｍ広くする。
調整代を設けることにより、各人の適切な位置に合わせることが出来き、左右非対称の場合や、朝夕での足形状の変化にも対応することが出来る。
【００１１】
趾股隔壁を取り付けのために、スリットを設けた中敷きの裏面には不織布又はフェルトを全面に貼り合わせた構造とし、不織布又はフェルトを使用しない構造の中敷きにあっては、趾股隔壁を取り付ける中敷きの裏面の位置付近を、ループ状又は、起毛・縮絨加工や植毛を施した表面を有する薄い布帛や極薄のループ状の面ファスナーで覆った構造としておく。
【００１２】
趾股隔壁の素材としては、硬い素材は摺接による擦傷を与え、趾や趾股を痛めない軟らかい粘弾性素材が使用される。例えば、スチレン・ブタジエン系熱可塑性樹脂、スチレン系熱可塑性樹脂、オレフィン系熱可塑性樹脂、ポリウレタン系樹脂、シリコーンゴムやゴムスポンジ、ＥＶＡスポンジ等の軟らかい粘弾性素材が使用される。
【００１３】
又、趾股隔壁の素材として軟らかい粘弾性素材を用いるので、粘性により中敷きの裏面のループ状又は、起毛・縮絨加工や植毛を施した表面を有する薄い布帛や極薄のループ状の面ファスナー等の表面に投錨効果も加わり、粘着し貼り付き、又、趾間の形状にもなじみ、掴みやすく、履用時に靴が足にしっかりと固定され運動しやすくなり、趾の筋肉の運動により血液の循環が良くなり、又、第１趾と第２趾の密着を妨げ外反母趾の防止に繋がる。
【００１４】
又、趾股隔壁は四隅を丸くした長方形の固定用部材と一体的に形成されており、固定用部材の中敷きとの接合表面には極薄のフック状の面ファスナーが接着又は縫着により取りつけられている。
趾股隔壁と長方形の固定用部材は別個に製作し、接着や縫着等で一体化しても良いが、最初から一体に製作しても良い。
【００１５】
固定用部材の素材は履き心地を良くするために柔軟な粘弾性素材が良い。趾股隔壁と同時に一体成型を行う場合は同じ素材となる。
固定用部材の形状は、四隅を丸くした長方形が基本であるが円盤状や楕円形でも良い。寸法は、趾股隔壁を趾で掴んで運動する時の引抜き力に耐える固着面積を有する必要がある。
【００１６】
極薄の面ファスナーのフック面の形状は、カギ形状、マッシュルーム形状、矢尻形状のいずれでもよい。
【００１７】
趾股隔壁の踏付けから爪先への長手方向の形状は、第１趾および第２趾の趾股部分に当たる挟持部の上部より爪先にかけて下り勾配に傾斜した形状とし、その長さは趾股隔壁を挟み易いように挟持部の長さより僅かに短い長さとする。趾股隔壁は軟らかい粘弾性素材であるので、履用者が自分で鋏等を使用して簡単に切断し調整できる。
【００１８】
又、趾股隔壁の幅は、狭いと掴み効果が無く、あまり広いと無理に趾股が広げられた状態となり、長時間履いていると痛みを感じる。その為、靴サイズによるが、幅としては３ｍｍ〜８ｍｍが適当である。
又、趾股隔壁の短幅方向の形状は、下部から上部にかけて同一の幅であってもよく、下部から上部にかけて薄くなっていてもよい。下部から上部にかけて薄くなっている方が履き心地が良い。
【００１９】
趾股隔壁の固定用部材の厚みは段差を感じることがなく違和感を生じないように薄く設定する。。
【００２０】
【発明の実施の形態】
【実施例１】
サイズ２５．０ｃｍの中敷き（５）として、表層（１）に布帛、中間層（２）にスポンジ、裏層（３）に不織布を有する構造の中敷きとし、中敷き（５）の第１趾と第２趾との間の趾股部に対応する位置に趾股隔壁（６）を挿入する幅１２ｍｍ、長さ５５ｍｍのスリット（４）を設けた（図１）。
【００２１】
趾股隔壁（６）はシリコーンゴムを用い、プレス加硫により成型した。
趾股隔壁（６）の形状は隔壁下部の厚み７ｍｍ、隔壁上部の厚み４ｍｍ、挟持部の上部部分の高さ２６ｍｍ、爪先部分の高さ２０ｍｍになるように下り勾配に傾斜した形状とし、長さ３０ｍｍとした
シリコーンゴムの硬さは３０（ＪＩＳ  Ｋ６２５３Ａタイプ）である。
【００２２】
固定用部材（７）もシリコーンゴムを用いプレス加硫により成型した。固定用部材（７）裏面には、物理的強度を上げるために薄い織布を成型時にゴム内部に埋設させ補強した。ベース厚みは履用時に違和感の無い１．５ｍｍとし、端部周辺は１．０ｍｍの薄さにした。
形状は長方形の四隅に丸みを取った形状とし、長さは６５ｍｍ、幅は４８ｍｍとし、角は２０ｍｍのＲを取った。
シリコーンゴムの硬さは３０（ＪＩＳ  Ｋ６２５３Ａタイプ）である。
【００２３】
趾股隔壁（６）と固定用部材（７）とは接着剤で、固定用部材（７）のほぼ中央部に趾股隔壁（６）が立上った形状になるように接着一体化させた。
趾股隔壁（６）の爪先側先端と、固定用部材（７）の爪先側先端との長さは趾股隔壁（６）の位置調整時、必要に応じて固定用部材（７）を切除し調整して良い。
【００２４】
固定用部材（７）と一体化した趾股隔壁（６）を、中敷き（５）のスリット（４）に突出させた状態で挿入した。中敷き（５）裏側の不織布と固定用部材（７）は投錨効果も加わり、粘着し貼りついた。（図３）
スリット部の調整しろは、長さ方向で±１２．５ｍｍ、幅方向で±２．５ｍｍとなる。
【００２５】
【実施例２】
中敷きは実施例１と同一の中敷きを使用した。
実施例１で使用した趾股隔壁の素材シリコーンゴムに代って、加硫工程を必要としないスチレン系熱可塑性エラストマーの三菱化学社製のラバロンを使用し、射出成型にて固定用部材（７）と一体形状になった趾股隔壁（６）を作成した。形状・寸法は、実施例１と同様になるようにした。
【００２６】
固定用部材（７）と中敷き（５）との接合表面には極薄の面ファスナー（８）としてスリーエム社製の厚み０．７ｍｍの極薄のフック状の面ファスナーを使用し、突出部分である趾股隔壁（６）を除いた固定用部材（７）の表面に縫着した。（図２）
極薄の面ファスナーを有する固定用部材（７）と一体化した趾股隔壁（６）を、中敷き（５）のスリット（４）に突出させた状態で挿入し、中敷き裏側の不織布と極薄の面ファスナーのフック面で固定した（図面３）。
【００２７】
【実施例３】
サイズ２５．０ｃｍの中敷き（５ａ）として、表層（１）が布帛、裏層（３）がスポンジである２層構造を成す中敷き（５ａ）の先端部分のスリットを設ける裏層（３）表面部分に７０ｃｍ角の、スリーエム社製の厚み０．５ｍｍのループ状の極薄の面ファスナー（９）を接着剤で貼り合わせた。（図４）
【００２８】
実施例２で用いた極薄の面ファスナーを有する固定用部材（７）と一体成型した趾股隔壁（６）を、中敷き（５ａ）のスリット（４）に突出させた状態で挿入し、中敷き（５ａ）裏側に貼りつけたループ状の極薄の面ファスナー（９）に固定用部材（７）の面ファスナー（８）のフック面で固定した。
【００２９】
【発明の効果】
サイズが合わない小さい靴を長期間履いたり、又、遺伝等により外反母趾又は外反母趾気味になっている人は多い。そういう人のために、第１趾と第２趾の間に挟むパット等が市販されている。
第１趾と第２趾との間に物を挟むと、それをつかもうと趾が運動し、趾が運動する事により血液の循環が良くなり、又外反母趾の予防にも繋がる。
中敷きに固定された趾股隔壁を趾がつかむことにより靴が足にしっかりと固定され各種の運動がしやすくなる。
【００３０】
本発明は、中敷きにあって、裏側がループ状又は、起毛・縮絨加工や植毛を施した表面を有する布又は不織布で覆われた先端部分であって、表側の第１趾と第２趾との間の趾股部に対応する位置に、取りつけ位置調整代を有するスリットを設け、該スリットを形成した中敷き先端部に、必要に応じて極薄のフック状の面ファスナーを表面に有し、固定用部材と一体的に形成した趾股隔壁を前記スリットから先端部分面上へ突出させた状態で前記固定用部材と中敷き裏面を固定することにより、誰にでも合うように簡単に位置調整および固定ができ、取り外しも簡単にできる趾股隔壁を有する中敷きを提供する。
【図面の簡単な説明】
【図１】趾股隔壁（６）を挿入するためのスリット（４）を設けた３層構造の中敷きの外観斜視図である。
【図２】極薄の面ファスナー（８）を有する固定用部材（７）と一体化した趾股隔壁（６）の外観斜視図である。
【図３】趾股隔壁（６）を挿入し、固定した状態を示す中敷き（５）の外観斜視図である。
【図４】趾股隔壁（６）を挿入するためのスリット（４）を設けた２層構造の中敷きの外観斜視図である。
【符号の説明】
１  中敷きの表層
２  中敷きの中間層
３  中敷きの裏層
４  スリット
５  中敷き
５ａ  中敷き
６  趾股隔壁
７  固定用部材
８  面ファスナー
９  ループ状の面ファスナー
【図１】
2004305405.tif 000003
【図２】
2004305405.tif 000004
【図３】
2004305405.tif 000005
【図４】
2004305405.tif 000006